(57)【要約】【課題】バルブ２１の両端部の内部電極３Ａ，３Ｂとバルブの外部の外部電極５０との間で放電させる希ガス放電ランプ１４において、特にランプ長が長い場合にもランプ中央部の暗部を少なくする。【解決手段】本発明の希ガス放電ランプ１４は、障壁９を介して２つの放電空間７Ａ，７Ｂを具備する一続きのバルブ２１と、バルブの内面に塗布された蛍光体８Ａ，８Ｂと、２つの放電空間７Ａ，７Ｂ各々の端部に設けられ、バルブの外部にリード線４Ａ，４Ｂが導出されている内部電極３Ａ，３Ｂと、２つの放電空間各々に気密に封入された希ガスと、バルブの外部において、２つの放電空間各々の外部に相当する場所に形成された一続きの１つの外部電極５０とを備えたものである。この希ガス放電ランプ１４では、一続きのバルブ２１に２つの放電空間７Ａ，７Ｂが存在するため、それぞれの放電空間が互いに干渉することがなく、長手方向の中央部に暗部が生じず、均一な配光が可能である。【選択図】　　　図２
2004103321.tif 000002
【特許請求の範囲】
【請求項１】
障壁を介して２つの放電空間を具備する一続きのバルブと、
前記バルブの内面に塗布された蛍光体と、
前記２つの放電空間各々の端部に設けられ、前記バルブの外部にリード線が導出されている内部電極と、
前記２つの放電空間各々に気密に封入された希ガスと、
前記バルブの外部における前記２つの放電空間各々の外部に相当する場所に形成された２つの外部電極とを備えて成る希ガス放電ランプ。
【請求項２】
障壁を介して２つの放電空間を具備する一続きのバルブと、
前記バルブの内面に塗布された蛍光体と、
前記２つの放電空間各々の端部に設けられ、前記バルブの外部にリード線が導出されている内部電極と、
前記２つの放電空間各々に気密に封入された希ガスと、
前記バルブの外部において、前記２つの放電空間各々の外部に相当する場所に形成された一続きの１つの外部電極とを備えて成る希ガス放電ランプ。
【発明の詳細な説明】
【０００１】
【発明の属する技術分野】
本発明は、内部電極と外部電極で放電させる希ガス放電ランプに関する。
【０００２】
【従来の技術】
従来、放電空間を具備するバルブの内部に内部電極を設け、バルブの外部に外部電極を設け、これらの内部電極と外部電極との間で放電させる希ガス放電ランプとして、図６に示す構成のものが知られている。
【０００３】
図６に示した従来の希ガス放電ランプ１１は、略円筒状のバルブ２の内面に塗布された蛍光体８と、バルブ２内の一端部に配設され、それからのリード線４がバルブ２の外部に導出されている内部電極３と、バルブ２内の放電空間に気密に封入されている希ガス７と、バルブ２の外部を囲繞するコイル状に形成されている外部電極５とを具備している。この外部電極５は熱収縮チューブ６で固定している。このような希ガス放電ランプ１では、内部電極３と外部電極５との間に矩形波等の高周波電圧を印加して放電点灯させる。
【０００４】
このようなタイプの希ガス放電ランプ１１では放電が内部電極側から伸びていくが、上述した従来の構成の希ガス放電ランプでは、内部電極がバルブの一端にしかないため、特にランプ長が長い場合にバルブの長手方向全体を均一に発光させるのが難しく、２５０ｍｍ以上のランプ長のものにおいては非常に困難である。
【０００５】
そこで、このような問題点を解決するために、図７に示すように、バルブ２０の両端部に内部電極３Ａ，３Ｂを設け、バルブ２０の外周に外部電極５０を設ける方法が取られている。この図７に示した希ガス放電ランプ１２の場合、内部電極３Ａ，３Ｂ間で放電が起こらないように、２つの内部電極３Ａ，３Ｂには同位相の電圧を印加するようにしている。
【０００６】
【発明が解決しようとする課題】
しかしながら、上述の図７に示した希ガス放電ランプ１２にあっては、希ガス放電により両端の内部電極３Ａ，３Ｂから伸びる陽光柱がバルブ２０の長手方向の中央部分付近で反発し合い、点灯時にランプ２０の長手方向の中央部付近が暗くなるという問題点であった。
【０００７】
本発明は、このような従来の問題点に鑑みてなされたもので、バルブの両端部の内部電極とバルブの外部の外部電極との間で放電させる希ガス放電ランプにおいて、特にランプ長が長い場合にもランプ中央部の暗部を少なくすることのできる希ガス放電ランプを提供することを目的とする。
【０００８】
【課題を解決するための手段】
請求項１の発明の希ガス放電ランプは、障壁を介して２つの放電空間を具備する一続きのバルブと、前記バルブの内面に塗布された蛍光体と、前記２つの放電空間各々の端部に設けられ、前記バルブの外部にリード線が導出されている内部電極と、前記２つの放電空間各々に気密に封入された希ガスと、前記バルブの外部における前記２つの放電空間各々の外部に相当する場所に形成された２つの外部電極とを備えたものである。
【０００９】
請求項１の発明の希ガス放電ランプでは、一続きのバルブに２つの放電空間が存在するため、それぞれの放電空間が互いに干渉することがなく、均一な配光が可能である。
【００１０】
請求項２の発明の希ガス放電ランプは、障壁を介して２つの放電空間を具備する一続きのバルブと、前記バルブの内面に塗布された蛍光体と、前記２つの放電空間各々の端部に設けられ、前記バルブの外部にリード線が導出されている内部電極と、前記２つの放電空間各々に気密に封入された希ガスと、前記バルブの外部において、前記２つの放電空間各々の外部に相当する場所に形成された一続きの１つの外部電極とを備えたものである。
【００１１】
請求項２の発明の希ガス放電ランプでは、一続きのバルブに２つの放電空間が存在するため、それぞれの放電空間が互いに干渉することがなく、均一な配光が可能である。加えて、請求項２の発明の希ガス放電ランプの場合、外部電極が一続きであるため、外部電極の形成が容易であり、かつ給電が容易である。
【００１２】
【発明の実施の形態】
以下、本発明の実施の形態を図に基づいて詳説する。図１は、本発明の第１の実施の形態の希ガス放電ランプ１３を示している。本実施の形態の希ガス放電ランプ１３は、例えば液晶バックライト用光源として使用されるもので、長尺のバルブ２１の長手方向の中間位置に障壁９を設けることによって、この障壁９の両側に２つの放電空間７Ａ，７Ｂが形成されている。
【００１３】
このバルブ２１はガラスチューブから成っている。バルブ２１の長手方向の両端には、リード線４Ａ，４Ｂが気密に貫通させてある。このリード線４Ａ，４Ｂから放電空間７Ａ，７Ｂ内に伸びたリード線端部それぞれには、内部電極３Ａ，３Ｂそれぞれが固定してある。バルブ２１の内面には蛍光体被膜８Ａ，８Ｂが形成してあり、また、バルブ２１内の両放電空間７Ａ，７Ｂそれぞれには、キセノンを主成分とする希ガスが１０００〜３００００Ｐａになるように封入してある。
【００１４】
バルブ２１の外表面には外部電極５Ａ，５Ｂが設けてある。これらの外部電極５Ａ，５Ｂはバルブ２１の長手方向の中間位置において分かれているが、共に熱収縮チューブ６によって固定されている。
【００１５】
上記の構成の第１の実施の形態の希ガス放電ランプ１３では、従来と同様の電源回路により、２つの内部電極３Ａ，３Ｂ及び外部電極５Ａ，５Ｂ間に高周波電圧を印加することにより、バルブ２１を誘電体層とした誘電体バリア放電を発生させる。２つの内部電極３Ａ，３Ｂは障壁９により放電空間７Ａ，７Ｂ内それぞれに分離されており、放電空間７Ａ，７Ｂそれぞれが互いに干渉することがなく、均一な配光を得ることができる。
【００１６】
次に、本発明の第２の実施の形態の希ガス放電ランプ１４について、図２を用いて説明する。第２の実施の形態の特徴は、外部電極５０としてバルブ２１の外部ほぼ全長に一続きのものを用いた点にある。その他の構成は、図１に示した第１の実施の形態と共通である。
【００１７】
この第２の実施の形態の希ガス放電ランプ１４の場合、第１の実施の形態と同様の利点があり、さらに、電源回路から外部電極５０に高周波電圧を印加する点が１箇所で済むため、外部電極５０の形成が容易であると共に給電が容易となる利点がある。
【００１８】
［実験１］
本発明の第２の実施の形態の構成の希ガス放電ランプ１４、図６、図７に示した従来の希ガス放電ランプ１１，１２それぞれに対して高周波電圧を内部電極と外部電極との間に印加し、放電点灯させた状態でのランプ長手方向での輝度分布を測定した。
【００１９】
図３は、図６に示した従来例のランプ１１の長手方向の相対輝度分布を示し、図４は図７に示した従来例のランプ１２の長手方向の相対輝度分布を示し、図５は本発明の第２の実施の形態の希ガス放電ランプ１４のランプ長手方向の相対輝度分布を示している。
【００２０】
図３に示すように、図６の従来例の希ガス放電ランプ１１では、内部電極３の存在しない低圧側の端部（図の右端側）で輝度の低下が見られた。また、図４に示すように、図７の従来例の希ガス放電ランプ１２では、内部電極３Ａ，３Ｂの両側から伸びる陽光柱がランプ中央部分付近で反発し合い、ランプ中央部付近が暗くなっていた。
【００２１】
これに対して、本発明の希ガス放電ランプ１４では、図５に示すように、一続きのバルブ２１に障壁９で隔てられた２つの放電空間７Ａ，７Ｂが存在するため、それぞれの放電空間７Ａ，７Ｂが互いに干渉することがなく、均一な輝度分布を得ることができた。
【００２２】
次に、本発明の第３の実施の形態の希ガス放電ランプ１５について、図８、図９を用いて説明する。
【００２３】
図５に示した従来の希ガス放電ランプ１１の場合、ランプ長によっては内部電極３側が暗くなることがある。このランプ１１をエッジライト方式のバックライトに組み込んだ場合も同様で、内部電極側端部が暗くなり、バックライトの均斉度を高くできない。
【００２４】
そこで、図８、図９に示す第３の実施の形態の希ガス放電ランプ１５では、内部に放電空間７を形成したバルブ２２の一端に屈曲部２ａを設けることによって、バルブ２２を短尺側２ｂと長尺側２ｃに分け、短尺側２ｂの内部に内部電極３を設け、長尺側２ｃを有効発光部として利用するようにしている。
【００２５】
バルブ２２の短尺側２ｂにはリード線４が気密に貫通させてあり、このリード線４から放電空間７内にのびた端部に内部電極３が固定してある。バルブ２２の内面には蛍光体８が形成してあり、かつ、このバルブ２２内にはキセノンを主成分とする希ガスが１０００〜３００００Ｐａになるように封入してある。バルブ２２の長尺側２ｃの外表面には外部電極５が設けてある。外部電極５の外側には熱収縮チューブ６が外部電極５を被覆するように設けてある。
【００２６】
このような構成の希ガス放電ランプ１５では、内部電極３及び外部電極５に高周波電圧を印加することにより、バルブ２２を誘電体層とした誘電体バリア放電を発生させ、蛍光体８を発光させる。
【００２７】
ここで、図９に詳しいように、外部電極５の内部電極３側端部を、短尺側２ｃの曲げ方向の内周上に存在させることにより、内部電極３と外部電極５の端部までの距離が、常に放電空間７内で最短となり、放電がより安定し、かつ長手方向の配光分布を均一にすることができる。
【００２８】
また、図８に示すように、内部電極３の先端部と外部電極５が位置するバルブ２２の内面との距離ｄを６ｍｍ以下にすることにより、始動電圧を低下させることができる。
【００２９】
そしてこのような構成の希ガス放電ランプ１５をエッジライト方式のバックライトに組み込むならば、発光部である長尺側２ｃのほぼ全域が発光するので、バックライトの発光部の均斉度が向上する。
【００３０】
［実験２］
図１０に、図６の従来例の希ガス放電ランプ１１と本発明の第３の実施の形態の希ガス放電ランプ１５の長手方向の輝度分布を示している。ここで、本発明の希ガス放電ランプ１５の長手方向の輝度分布とは、屈曲したバルブ２２の長尺側２ｃの長さ方向の輝度分布を示している。
【００３１】
図１０に示したように、本実施の形態の希ガス放電ランプ１５では、従来例の希ガス放電ランプ１１に対して、内部電極３側の輝度分布を改善することができている。
【００３２】
図１１は、本発明の第３の実施の形態の希ガス放電ランプ１５において、内部電極３の先端部から外部電極５の位置するバルブ２２の内面までの距離ｄと、始動電圧の関係を示している。内部電極３の先端部と外部電極５の位置するバルブ２２の内面までの距離ｄが短いほど始動電圧が低く、距離ｄが長くなるほど始動電圧が高くなる。
【００３３】
希ガス放電ランプでは始動電圧が低いほど望ましく、この点で、本発明の希ガス放電ランプでは内部電極３と外部電極５の位置するバルブ２２の内面までの距離ｄが短いほうが望ましいが、距離ｄが６ｍｍ以下のとき、始動電圧は６００Ｖ以下であり、比較的低い始動電圧で放電点灯させることができ、実使用が可能である。
【００３４】
【発明の効果】
以上のように請求項１の発明によれば、一続きのバルブに障壁によって２つの放電空間が存在するため、それぞれの放電空間が互いに干渉することがなく、ランプ長手方向の中央部に暗部が生じず、ランプ全長に渡り均一な配光が可能である。
【００３５】
請求項２の発明の希ガス放電ランプによれば、一続きのバルブに障壁によって２つの放電空間が存在するため、それぞれの放電空間が互いに干渉することがなく、均一な配光が可能であり、加えて、外部電極が一続きであるため、外部電極の形成が容易であり、かつ給電が容易である。
【図面の簡単な説明】
【図１】本発明の第１の実施の形態の一部破断せる正面図。
【図２】本発明の第２の実施の形態の一部破断せる正面図。
【図３】１つの従来例のランプ長手方向の輝度分布グラフ。
【図４】他の従来例のランプ長手方向の輝度分布グラフ。
【図５】本発明の第２の実施の形態のランプ長手方向の輝度分布グラフ。
【図６】１つの従来例の一部破断せる正面図。
【図７】他の従来例の一部破断せる正面図。
【図８】本発明の第３の実施の形態の一部破断せる正面図。
【図９】図８におけるＡ−Ａ線断面図。
【図１０】１つの従来例の希ガス放電ランプと本発明の第３の実施の形態の希ガス放電ランプとの長手方向の輝度分布グラフ。
【図１１】本発明の第３の実施の形態において、内部電極先端部から外部電極の位置するバルブ内面までの距離ｄと始動電圧との関係を示すグラフ。
【符号の説明】
１３，１４，１５　希ガス放電ランプ
２１，２２　バルブ
３，３Ａ，３Ｂ　内部電極
４，４Ａ，４Ｂ　リード線
５，５Ａ，５Ｂ，５０　外部電極
６　収縮チューブ
７，７Ａ，７Ｂ　放電空間
８，８Ａ，８Ｂ　蛍光体
９　障壁
２ａ　屈曲部
２ｂ　短尺側
２ｃ　長尺側（発光部側）
【図１】
2004103321.tif 000003
【図２】
2004103321.tif 000004
【図３】
2004103321.tif 000005
【図４】
2004103321.tif 000006
【図５】
2004103321.tif 000007
【図６】
2004103321.tif 000008
【図７】
2004103321.tif 000009
【図８】
2004103321.tif 000010
【図９】
2004103321.tif 000011
【図１０】
2004103321.tif 000012
【図１１】
2004103321.tif 000013